(57)【要約】【課題】  従来、防水板を桁方向に分割し、かっ防水板を三本の空圧シリンダで起伏とし、防水板をベース部材内に収納可能に軸支した構造がある。本発明が意図する、防水扉の軸支機構を、カム板を備えたヒンジ装置とする構造、又はサポートレバーの折畳み動作を司る蓄圧タンクの構造に関しては、十分でなく、改良の余地がある。【解決手段】  収容室の防水扉は、扉起伏装置で起立し、起立を補助起立装置でサポートし、出入口を閉塞する。ヒンジ装置は、防水扉に設けた第１軸に枢着したカム板と、カム板に設けた第２軸を、防水扉の基端に枢着し、第１軸を、収容室の底面近傍に、第２軸を、収容室の天板部近傍に設け、第１軸を支点に、カム板と防水扉が可動時、第２軸が、防水扉の基端の可動軌跡に沿って、移動する。【選択図】図２−１
2014152470.tif 000002
【特許請求の範囲】
【請求項１】
出入口の床面に形成した収容室に倒伏姿勢で収納した防水扉と、この収容室に設置した扉起伏装置、及び補助起立装置、並びに前記防水扉の可動側を支持するヒンジ装置でなり、前記扉起伏装置により防水扉を収容室から起立し、かつこの起立状態を、前記補助起立装置でサポートし、前記出入口を閉塞可能とする防水扉装置であって、
前記ヒンジ装置は、前記防水扉の起立点より気体を、空気とした構成（収容室内側）の第１軸に一端側を枢着したカム板と、このカム板の他端側に設けた第２軸を、前記防水扉の基端に枢着し、この第１軸と、この第２軸が、次の構造とした起伏式防水扉装置。
前記第１軸を、前記収容室の底面近傍に、前記第２軸を、この収容室の天板部近傍に設けるとともに、この第１軸を支点として、前記カム板と前記防水扉が可動した際に、この第２軸が、前記防水扉の基端の可動軌跡に沿って、移動する構成とした起伏式防水扉装置。
【請求項２】
請求項１に記載の起伏式防水扉装置において、
前記ヒンジ装置の第１軸を、前記収容室の底面近傍に、ヒンジ装置の第２軸を、前記収容室の天板部近傍に設けるとともに、この第１軸を支点として、前記防水扉が可動した際に、この第２軸が、前記防水扉の基端の可動軌跡に沿って、移動する構成は、
この第１軸を、前記カム板に枢着し、また、このカム板の他端側に設けた第２軸を、前記防水扉の基端に枢着するとともに、この第２軸は、前記第１軸の内方に設けられる構成とした起伏式防水扉装置。
【請求項３】
請求項１に記載の起伏式防水扉装置において、
前記ヒンジ装置のカム板は、側面視して、Ｌ字形を呈しており、その底面側は、前記収容室の底面に沿った形状とし、また、その一方面側は、この底面側から鉛直方向に立設した形状とし、その天板面側は、この一方面側に直角方向に形成し、この天板面側と、前記底面側を繋ぐ他方面側は、括れ形状を有する構成とした起伏式防水扉装置。
【請求項４】
請求項１〜請求項３の何れかに記載の起伏式防水扉装置において、
前記カム板の底面側と、前記他方面側の繋ぎ部に、前記第１軸を設け、また、このカム板の天板面側と、前記他方面側の繋ぎ部（他端側）に、前記第２軸を設ける構成とした起伏式防水扉装置。
【請求項５】
出入口の床面に形成した収容室に倒伏姿勢で収納した防水扉と、この収容室に設置した扉起伏装置、及び補助起立装置、並びに前記防水扉の可動側を支持するヒンジ装置でなり、前記扉起伏装置により防水扉を収容室から起立し、かつこの起立状態を、前記補助起立装置でサポートし、前記出入口を閉塞可能とする防水扉装置であって、
前記補助起立装置は、前記収容室とこの収容室を閉塞する扉本体の聞に設けたサポートレバーと、このサポートレバーを動作する第２のシリンダと、この第２のシリンダに気体、又は流体の作動体を供給する手段と、この気体、又は流体の作動体供給用、かつ気体、又は流体の作動体排出用の配管と、この配管に設けた蓄圧タンクで構成した起伏式防水扉装置。
【請求項６】
請求項５に記載の起伏式防水扉装置において、
前記手段を、空気入れとするとともに、この気体を、空気とした構成であり、前記配管に、切換装置（切換バルブ）を付設し、この切換装置で、前記蓄圧タンクに貯留した空気を、前記サポートレバーの折畳時に活用する構成とした起伏式防水扉装置。
【請求項７】
請求項６に記載の起伏式防水扉装置において、
前記第２シリンダのピストンロッドの自由端を、前記収容室の軸に固定した作動レバーに枢着し、このピストンロッドの伸張で、前記作動レバーを可動するとともに、この軸を回転することで、前記サポートレバーを伸張する構成とした起伏式防水扉装置。
【請求項８】
出入口の床面に形成した収容室に倒伏姿勢で収納した防水扉と、この収容室に設置した扉起伏装置、及び補助起立装置、並びに前記防水扉の可動側を支持するヒンジ装置でなり、
前記扉起伏装置により防水扉を収容室から起立し、かっこの起立状態を、前記補助起立装置でサポートし、前記出入口を閉塞可能とする防水扉装置であって、
前記扉起伏装置は、前記収容室とこの収容室を閉塞する扉本体の聞に設けた第１シリン
ダと、ガス圧シリンダとする構成とした起伏式防水扉装置。
【請求項９】
請求項８に記載の起伏式防水扉装置において、
前記第１シリンダと、前記ガス圧シリンダは、併設して設ける構成とした起伏式防水扉装置。
【発明の詳細な説明】
【技術分野】
【０００１】
本発明は、起伏式防水扉装置に関する。
【背景技術】
【０００２】
従来の防水扉として、下記に示した文献がある。
【０００３】
文献（１）は、特開２００７−１１３２７９号公報に記載された発明で、防水板を桁方向に分割した構造であり、この防水板を三本の空圧シリンダで起伏とし、防水板をベース部材内に収納（収容）可能に軸支した構造を特徴とする。しかし、本発明が意図する、防水扉の軸支機構を、カム板を備えたヒンジ装置とする構造（サポートレバー用蓄圧タンク）、又はサポートレバーの折畳み動作を司る蓄圧タンク（サポートレバー用蓄圧タンク）の構造に関しては、記載がなく、改良の余地がある。
【０００４】
また、文献（２）は、特開２００５−３２５６２１号公報に記載された発明で、防水扉の軸支機構を、リンクを備えたヒンジ装置とする構造であり、防水扉を、搖動アームと駆動モータ及び油圧手段・シリンダを利用し、操作する構造であって、サポートレバーを備えない構造を特徴とする。しかし、本発明が意図する、前述した、ヒンジ装置の構造、又はサポートレバー用蓄圧タンクの構造に関しては、記載がなく、改良の余地がある。
【０００５】
文献（３）は、特開２００５−１３９６８７号公報に記載された発明で、防水扉は、ピットの壁面ヒンジにアームを枢着し、かつスプリングと開閉レバーで起伏する構造であり、防水扉は、シリンダと作動レバー、及びバックアップバーで保管する構造を特徴とする。但し、本発明が意図する、前述した、ヒンジ装置の構造、又はサポートレバー用蓄圧タンクの構造に関しては、記載がなく、改良の余地がある。
【０００６】
【特許文献１】特開２００７−１１３２７９号公報
【特許文献２】特開２００５−３２５６２１号公報
【特許文献３】特開２００５−１３９６８７号公報
【発明の概要】
【発明が解決しようとする課題】
【０００７】
上記に鑑み、下記の目的を達成する。
：イ  本発明は、防水扉の軸支機構を、カム板を備えたヒンジ装置とする構造、この例では、ヒンジ装置は、防水扉の起立点より内方（収容室内方側）の第１軸に一端側を枢着したカム板と、カム板の他端側に設けた第２軸を、防水扉の基端に枢着し、第１軸を支点として、第２軸が可動し、第１軸が鉛直線「符号Ｓ」にある位置関係を有することで、例えば、防水扉の枢着側基端（端部）が、収容室の壁面に衝止することなく、起伏できる構造となる。
：ロ  また、本発明は、収容室の壁面を構成する枠板の上端部には、収容扉の基端の可動を許すスペース（空間）を形成し、この防水扉の基端には、スムースな可動軌跡（回転軌跡）を確保できる構造とする。
：ハ  殊に、本発明は、実施例の如く、第１軸を、収容室の底面近傍に、第２軸を、収容室の天板部近傍に設けるとともに、この第２軸は、第１軸を支点として、カム板と前記防水扉が可動した際に、防水扉の基端の可動軌跡に沿って、移動する構成とした起伏式防水扉装置であり、僅かな、空気等の気体、又は流体の作動体を利用して、スムースかつ瞬時に、防水扉の起伏が確保できる構造とする。
：ニ  本発明は、空気等の気体、又は流体の作動体を、例えば、空気入れの如く、手動で操作する手段、又は窒素ガス、或いは水、油等の簡易手段を採用することで、省コスト化（低廉化）、緊急時の停電等にも困らないこと、更には、設置の簡便化等が図れる構造とする。
：ホ  本発明は、サポートレバー（サポートバー）の折畳み動作を司る蓄圧タンクを設ける構造であり、サポートレバーの折畳みの容易化と、省力化、並びに省圧化（空気圧を少なくすること）が図れる構造とする。
：へ  さらに、本発明は、サポートレバーを、折畳み・直線状態を、空気圧構造で保持し、かつ折畳み時に、蓄圧タンクで担持する構造とし、サポートとしての役割を担い得る構造とする。
【課題を解決するための手段】
【０００８】
前述した：イ〜：ヘを達成することを、意図して、請求項１〜請求項９を提供する。
【０００９】
請求項１の発明は、出入口の床面に形成した収容室（ピット）に倒伏姿勢で収納した防水扉と、この収容室に設置した扉起伏装置、及び補助起立装置、並びに前記防水扉の可動側を支持するヒンジ装置でなり、前記扉起伏装置により防水扉を収容室から起立し、かつこの起立状態を、前記補助起立装置でサポートし、前記出入口を閉塞可能とする防水扉装置であって、
前記ヒンジ装置は、前記防水扉の起立点より内方（収容室内側）の第１軸に一端側を枢着したカム板と、このカム板の他端側に設けた第２軸を、前記防水扉の基端に枢着し、この第１軸と、この第２軸が、次の構造とした起伏式防水扉装置。
【００１０】
前記第１軸を、前記収容室の底面近傍に、前記第２軸を、この収容室の天板部近傍に設
けるとともに、この第１軸を支点として、前記カム板と前記防水扉が可動した際に、この
第２軸は、この防水扉の基端の可動軌跡に沿って、移動する構成とした起伏式防水扉装置
である。
【００１１】
請求項２の発明は、請求項１に記載の起伏式防水扉装置において、
前記ヒンジ装置の第１軸を、前記収容室の底面近傍に、ヒンジ装置の第２軸を、前記収容室の天板部近傍に設けるとともに、この第１軸を支点として、前記防水扉が可動した際に、この第２軸が、この防水扉の基端の可動軌跡に沿って、移動する構成は、
この第１軸を、前記カム板に枢着し、また、このカム板の他端側に設けた第２軸を、前記防水扉の基端に枢着するとともに、この第２軸は、前記第１軸の内方に設けられる構成とした起伏式防水扉装置である。
【００１２】
請求項３の発明は、請求項１に記載の起伏式防水扉装置において、
前記ヒンジ装置のカム板は、側面視して、Ｌ字形を呈しており、その底面側は、前記収容室の底面に沿った形状とし、また、その一方面側は、この底面側から鉛直方向に立設した形状とし、その天板面側は、この一方面側に直角方向に形成し、この天板面側と、前記底面側を繋ぐ他方面側は、括れ形状を有する構成とした起伏式防水扉装置である。
【００１３】
請求項４の発明は、請求項１〜請求項３の何れかに記載の起伏式防水扉装置において、
前記カム板の底面側と、前記他方面側の繋ぎ部に、前記第１軸を設け、また、このカム板の天板面側と、前記他方面側の繋ぎ部に、前記第２軸を設ける構成とした起伏式防水扉装置である。
【００１４】
請求項５の発明は、出入口の床面に形成した収容室に倒伏姿勢で収納した防水扉と、この収容室に設置した扉起伏装置、及び補助起立装置、並びに前記防水扉の可動側を支持するヒンジ装置でなり、前記扉起伏装置により防水扉を収容室から起立し、かっこの起立状態を、前記補助起立装置でサポートし、前記出入口を閉塞可能とする防水扉装置であって、
前記補助起立装置は、前記収容室とこの収容室を閉塞する扉本体の問に設けたサポートレバーと、このサポートレバーを動作する第２のシリンダと、この第２のシリンダに気体、又は流体の作動体を供給する手段と、この気体、又は流体の作動体供給用、かつ気体、又は流体の作動体排出用の配管と、この配管に設けた蓄圧タンクで構成した起伏式防水扉装置である。
【００１５】
請求項６の発明は、請求項５に記載の起伏式防水扉装置において、
前記手段を、空気入れとするとともに、この気体を、空気とした構成であり、前記配管に、切換装置を付設し、この切換装置で、前記蓄圧タンクに貯留した空気を、前記サポートレバーの折畳時に活用する構成とした起伏式防水扉装置。
【００１６】
請求項７の発明は、請求項６に記載の起伏式防水扉装置において、
前記第２シリンダのピストンロッドの自由端を、前記収容室の軸に固定した作動レバーに枢着し、このピストンロッドの伸張で、前記作動レバーを可動するとともに、この軸を回転することで、前記サポートレバーを伸張する構成とした起伏式防水扉装置である。
【００１７】
請求項８の発明は、出入口の床面に形成した収容室に倒伏姿勢で収納した防水扉と、この収容室に設置した扉起伏装置、及び補助起立装置、並びに前記防水扉の可動側を支持するヒンジ装置でなり、前記扉起伏装置により防水扉を収容室から起立し、かつこの起立状態を、前記補助起立装置のサポートレバーでサポートし、前記出入口を閉塞可能とする防水扉装置であって、
前記扉起伏装置は、前記収容室とこの収容室を閉塞する扉本体の聞に設けた第１シリンダと、ガス圧シリンダとする構成とした起伏式防水扉装置である。
【００１８】
請求項９の発明は、請求項８に記載の起伏式防水扉装置において、
前記第１シリンダと、前記ガス圧シリンダは、併設して設ける構成とした起伏式防水扉装置である。
【発明の効果】
【００１９】
請求項１の発明は、収容室用の防水扉には、扉起伏装置、及び補助起立装置、並びにヒンジ装置を備えており、扉起伏装置で、防水扉を起立し、起立状態を、補助起立装置でサポートし、出入口を閉塞する。ヒンジ装置は、防水扉の起立点より内方の第１軸に一端側を枢着したカム板と、カム板の他端側に設けた第２軸を、防水扉の基端に枢着し、第１軸を、収容室の底面近傍に、第２軸を、収容室の天板部近傍に設け、かつ第１軸を支点として、カム板と防水扉が可動の際、第２軸が、防水扉の基端の可動軌跡に沿って、移動する構成である。従って、前記：イ〜：ハに準ずる、下記の特徴がある。
：イ―１は、防水扉の軸支機構が、防水扉の起立点より気体を、空気とした構成の第１軸に一端側を枢着したカム板と、カム板の他端側に設けた第２軸を、防水扉の基端に枢着し、第１軸を支点として、第２軸が可動し、第１軸が鉛直線上「符号Ｓ」にある位置関係を有することで、防水扉の枢着側基端が、収容室の壁面に衝止することなく、起伏できる構造となる。
：ロ―１は、収容室の壁面を構成する枠板の上端部には、収容扉の基端の可動を許すスペース（空間）を形成したことで、防水扉の基端には、スムースな可動軌跡を確保できる。
：ハ―１は、第１軸を、収容室の底面近傍に、第２軸を、収容室の天板部近傍に設けるとともに、この第２軸は、防水扉の基端の可動軌跡に沿って、移動する構成としたので、僅かな、空気等の気体、又は流体の作動体を利用してスムースかつ瞬時に、防水扉の起伏が確保できる。
【００２０】
請求項２の発明は、ヒンジ装置の第１軸を、カム板に枢着し、また、カム板の他端側に設けた第２軸を、防水扉の基端に枢着するとともに、第２軸は、第１軸の気体を、空気とした構成に設けられる構成である。従って、前記：イ−１と、：ハー１の特徴がある。
【００２１】
請求項３の発明は、ヒンジ装置のカム板は、側面視して、Ｌ字形を呈しており、底面側は、収容室の底面に沿った形状とし、また、一方面側は、底面側から鉛直方向に立設した形状とし、天板面側は、一方面側に直角方向に形成し、天板面側と、底面側を繋ぐ他方面側は、括れ形状を有する構成である。従って、前記：イ―１と、：ハ―１の特徴がある。
【００２２】
請求項４の発明は、カム板の底面側と、他方面側の繋ぎ部に、第１軸を設け、また、カム板の天板面側と、他方面側の繋ぎ部に、第２軸を設ける構成である。従って、前記：イ−１と、：ハ−１の特徴がある。
【００２３】
請求項５の発明は、収容室用の防水扉には、扉起伏装置、及び補助起立装置、並びにヒンジ装置を備えており、扉起伏装置で、防水扉を起立し、起立状態を、補助起立装置でサポートし、出入口を閉塞する。補助起立装置は、収容室と扉本体の聞に設けたサポートレバーと、サポートレバーを動作する第２のシリンダと、第２のシリンダに気体、又は流体の作動体を供給する手段と、気体、又は流体の作動体供給用、かつ気体、又は流体の作動体排出用の蓄圧タンクを備えた配管で構成する。従って、前記：イ−１〜ハ−１と併せて、前記：ホと、：へに準ずる、下記の特徴がある。
：ホ―１は、サポートレバーの折畳み動作を司る蓄圧タンクを設ける構造であり、サポートレバーの折畳みの容易化と、省力化、並びに省圧化（空気圧を少なくすること）が図れる構造である。
：へ―１は、サポートレバーを、折畳み・直線状態を、空気圧構造で保持し、かつ折畳み時に、蓄圧タンクで担持する構造とし、サポートとしての役割を担い得る構造である。
【００２４】
請求項６の発明は、手段を、空気入れとするとともに、気体を、空気とした構成で、あり、配管に、切換装置を付設し、切換装置で、蓄圧タンクに貯留した空気を、サポートレバーの折畳時に活用する構成である。従って、前記：イ−１〜ハ―１と、前記：ホ−１と：へ―１に、併せて、前記：ニに準ずる：ニ―１の特徴がある。
：ニ―１  本発明は、空気等の気体、又は流体の作動体を、例えば、空気入れの如く、手動で操作する手段、又は窒素ガス、或いは水、油等の簡易手段を採用することで、省コスト化（低廉化）、緊急時の停電等にも困らないこと、更には、設置の簡便化等が図れる構造である。
【００２５】
請求項７の発明は、第２シリンダのピストンロッドの自由端を、収容室の軸に固定した作動レバーに枢着し、ピストンロッドの伸張で、作動レバーを可動するとともに、軸を回転することで、サポートレバーを伸張する構成である。従って、前記：イ−１〜へ―１の特徴がある。
【００２６】
請求項８の発明は、収容室用の防水扉には、扉起伏装置、及び補助起立装置、並びにヒンジ装置を備えており、扉起伏装置で、防水扉を起立し、起立状態を、補助起立装置でサポートし、出入口を閉塞する。扉起伏装置は、収容室と扉本体の聞に設けた第１シリンダと、ガス圧シリンダとする構成である。従って、前記：イ−１と、：ハ―１の特徴がある。
【００２７】
請求項９の発明は、第１シリンダと、ガス圧シリンダは、併設して設ける構成である。
従って、前記：イ−１と、：ハー１の特徴がある。
【図面の簡単な説明】
【００２８】
【図１】第一実施例における防水扉装置を示す、半分の一方を欠載して内部を示す、その半分の他方を扉本体で隠蔽するとともに、扉本体（防水扉）を起立した状態を模式的に示した一部欠載の平面図
【図２−１】第一実施例における防水扉が、収容室に格納されたおり、第１のシリンダが倒伏状態であることを示す模式図
【図２−２】第一実施例における防水扉が、収容室より中間位置まで立上り、かつ第１のシリンダが中間位置にあることを示す模式図
【図２−３】第一実施例における防水扉が、収容室より最終位置まで立上り（防水扉が起立し）、かつ第１のシリンダが、例えば、伸張最終位置にあることを示す模式図
【図３−１】第一実施例における防水扉が、収容室に格納されたおり、第１・第２のシリンダ、並びにガス圧シリンダが倒伏状態であることを示す模式図
【図３−２】第一実施例における防水扉が、収容室より中間位置まで立上り、かつ第１・第２のシリンダ、並びにガス圧シリンダの中間位置にあることを示す模式図
【図３−３】第一実施例における防水扉が、収容室より最終位置まで立上り（防水扉が起立し）、かつ第１・第２のシリンダ、並びにガス圧シリンダが、例えば、伸張最終位置にあることを示す模式図
【図４】第二実施例における防水扉装置を示す、半分の一方を欠載して内部を示す、その半分の他方を扉本体で隠蔽した状態を示した平面図
【図５】第二実施例における防水扉装置を示す、半分の一方を欠載して内部を示す、その半分の他方を扉本体で隠蔽した状態を示した正面図
【図６−１】第二実施例における防水扉が、収容室に格納されたおり、第１・第２のシリンダ、並びにガス圧シリンダが倒伏状態であることを示す模式図
【図６−２】第二実施例における防水扉が、収容室より中間位置まで立上り、かつ第１・第２のシリンダ、並びにガス圧シリンダが中間位置にあることを示す模式図
【図６−３】第二実施例における防水扉が、収容室より最終位置まで立上り（防水扉が起立し）、かつ第１・第２のシリンダ、並びにガス圧シリンダが、例えば、伸張最終位置にあることを示す模式図
【図７】防水扉の内部配管の一例を示した回路図
【発明を実施するための形態】
【００２９】
図１〜図２−３を示した第一実施例を説明する。
【００３０】
図中１は補強リブを備えた防水扉（防水板、止水板、バリケード等を含む）で、この防水扉１は、地下室、地下街、文は建物の入口等の通路の出入口Ａの床面Ａ１に形成した収容室２に倒伏姿勢で収納される。この収容室２は、防水扉１を構成する扉本体１ａで、閉塞される。この扉本体１ａと収容室２の聞には、扉起伏装置Ｂ、及び補助起立装置Ｃ、並びに防水扉１の可動側を支持するヒンジ装置Ｄがそれぞれ設けられている。以下、この扉起伏装置Ｂ、及び補助起立装置Ｃ、並びにヒンジ装置Ｄについて個別に説明する。
【００３１】
扉起伏装置Ｂは、収容室２の底面２ａ（防水扉１の起立点２ｃ「支点側」近傍）と、この収容室２を閉塞する扉本体１ａの裏面１ａ１（防水扉１の自由端１ｂ「可動側」近傍）の聞に設けた第１シリンダ３（メインシリンダ）と、ガス圧シリンダ５で構成し、防水扉１の幅方向（桁方向Ｘ）の長さで、この第１シリンダ３と、ガス圧シリンダ５の本数が決定される。この例では、６本とするが一例である。即ち、図２−２と図２−３の如く、この第１シリンダ３のピストンロッド３００の伸張で、防水扉１が、後述するヒンジ装置Ｄを介して可動し、起立する。この起立時に、必要により、ガス圧シリンダ５のピストンロット５ａの助けで、スムース、かつ瞬時に起立動作する。この第１シリンダ３の基端３−１を、底面２ａに設けた第１ブラケット６に枢着（軸着）するとともに、ピストンロッド３ａの自由端３ａ−１を、扉本体１ａの裏面１ａ−１に枢着する。これにより、ピストンロッド３ａの自由端３ａ−１が伸張することで、扉本体１ａが、後述するヒンジ装置Ｄを介して起立して防水（浸水防止）する。またこの状態より、ピストンロッド３ａの自由端３ａ−１が収縮することで、扉本体１ａが、後述するヒンジ装置Ｄを介して可動し、倒伏し、収容室２に収納される。以上の如く、この第１シリンダ３（メインシリンダ）、及び／又は、ガス圧シリンダ５で、防水扉１が起伏するとともに、図２−１の収納したときには、折畳まれ、また、図２−３の起立したときには、この起立を支持する（水圧に対抗する力となる）。
【００３２】
次に、補助起立装置Ｃは、収容室２の底面２ａ（防水扉１の起立点２ｃと反対側１ｂ近傍）と、この収容室２を閉塞する扉本体１ａの裏面１ａ１（防水扉１の自由端１ｂ近傍）に上方レバー１ａの一端を枢着したサポートレバー７と、このサポートレバー７の下方レバー７ｂの他端が固止される、収容室２の桁方向Ｘに架承した軸８と、この軸８を回転する作動レバー１０と、この作動レバー１０を可動する底面２の第２ブラケット９に枢着した第２シリンダ１１で構成する。従って、図３−１の如く、防水扉１が収容室２に収納されるとともに、第１・第２シリンダ３、１１が収縮状態で収納され、かつサポートレバー７の上下レバー７ａ、７ｂ（枢着関係となる連結部）が折畳まれた状態で収納されて、図示しない、ロック装置で、床面（地面）Ａ１と面一に終われる。このロック装置が緊締された時は、補助用の図示しない、スプリングは圧縮されており、防水扉１は、床面Ａ１と面一である。そして、浸水時において、図示しない、ロック装置を解除すると、補助用のスプリング反力で、防水扉１の自由端１ｂが、僅か持ち上がる（図示しないが、防水扉１が手動で起立する例では、有効である）。その後、図３−２と図３−３の如く、第２シリンダ１１のピストンロッド１１ａが伸張することで、作動レバー１０が、例えば、時計方向Ｒに可動し、軸８を正回転することで、サポートレバー７が立上る。また、前述した扉起伏装置Ｂの働きで、図２−１〜図２−３の如く、防水扉１が起立する。尚、図３−１の如く、第２シリンダ１１のピストンロット１１ａが収縮することで、作動レバー１０が反時計方向（戻り方向）に可動し、軸８を逆回転することで、サポートレバー７の上下レバー７ａ，７ｂが折畳まれる構造である。図中１１ａ−１は、ピストンロット１１ａの自由端である。
【００３３】
また、扉起伏装置Ｂと補助起立装置Ｃには、第１シリンダ３と第２シリンダ１１に繋がる配管１２が組込まれる構造であり、配管１２には、空気入れ１５（自動、又は大型の「扉高さ１２０ｃｍ」の構造の防水扉等の例では、ファン等の駆動手段も有り得る）と、切換バルブ１６（切換装置）、蓄圧タンク１７を主構造とする。切換バルブ１６の操作を説明すると、起立状態を示した如く、空気入れ１５の空気が、配管１２を介して、第１・第２シリンダ３、１１のポートより空気を圧入する。このピストンロッド３ａ、１１ａが伸張し、防水扉１が起立するとともに、サポートレバー７が伸張（緊張）する。このピストンロッド３ａ、１１ａの伸張が終わると、この防水扉１の起立と、サポートレバー７の伸張が終了する。即ち、浸水防止が図れる。一方、倒伏１の状態では、蓄圧タンク１７に蓄圧されるので、続いて、倒伏２に切換えることで、この蓄圧タンク１７の圧力を利用して、サポートレバーの伸張時における、上下レバー７ａ、７ｂのく字形の枢着箇所の突っ張り解除を助成する。く字形の突っ張り解除をスムースに行い、かつ突っ張り解除に要する力として、蓄圧タンク１７の圧力を利用する。尚、配管１２には、弁１２ａを備えており、この弁１２ａの開放で、配管１２を流れる空気を、外気中に放出する。尚、ピストンロッド３ａ、１１ａが収縮することで、起立とは逆の動作となり、防水扉１が収容室２に収納されるとともに、サポートレバー７の上下レバー７ａ、７ｂが折畳まれる。この折畳み時には、図示しない、ロック装置の緊締で、床面Ａ１と面一になる。また、図示しない、補助用のスプリングは、圧縮収納される。
【００３４】
また、ヒンジ装置Ｄは、防水扉１の可動側を支持する。このヒンジ装置Ｄは、防水扉１の桁方向Ｘに適宜間隔で複数個設けられる。そして、このヒンジ装置Ｄは、収容室２の底面２ａ近傍であって、かつ防水扉１の起立点２ｃより内方Ｙ方向収容室内側）に架承した第１軸２０と、この第１軸２０に一端側を枢着したカム板２１と、このカム板２１の他端側に設けた第２軸２２（収容室２の天板部２ｂ近傍に位置する）で構成される。この第１軸２０は、防水扉１の可動基端１ｃの内方Ｙに枢着されている。カム板２１は、側面視して、Ｌ字形を呈しており、その底面側２１ａの一部は、収容室２の底面２ａに沿った形状（天板面側２１ｃ＜底面側２１ａの長さの関係）となる。従って、収容室２の底面２ａより、底面側２１ａが離間するのは、図２−３の如く、中間位置から起立迄である。また、その一方面側２１ｂは、この底面側２１ａから鉛直方向Ｚに立設した形状とし、その天板面側２１ｃは、この一方面側２１ｂに直角方向に形成し、この天板面側２１ｃと、底面側２１ａを繋ぐ他方面側２１ｄは、括れ形状を有する構成である。前記した第２軸２２は、他方面側２１ｄで、かつ天板面側２１ｃとの繋ぎ部（他端側）に枢着される。従って、第１シリンダ３のピストンロッド３ａが伸張することで、図２−１から図２−３の如く、カム板２１が、第１軸２０を支点として、時計方向に可動するとともに、第２軸２２が、防水扉１の基端１ｃの可動軌跡Ｑに沿って時計方向Ｒに回転する。この回転で、防水扉１が、倒伏状態から、起立状態になる。また、図２−２は、倒伏から起立に到る中間位置（収容室２より中間位置まで立上って、かつ第１のシリンダ３の中間位置）までは、第２軸２２を支点として防水扉１が、時計方向Ｒに可動（回転）する。その後、第１シリンダ３のヒストンロッド３ａが、さらに伸張すると、このカム板２１は、第１軸２０を支点として、時計方向Ｒに可動するとともに、防水扉１も、このカム板２１と同期して、時計方向Ｒに可動する。これにより、図２−３に示したように、カム板２１の第２軸２２は、第１軸２０を支点として可動し、この第２軸２２は、第１軸２０の鉛直線Ｓにある。即ち、最終的な起立状態である。起立した防水扉１の周辺は、図示しない、建物等の固定物のシールにより、確実に密着状態に保持され、浸水防止が図れる。尚、図示しないが、防水扉１の倒伏と、第１・２シリンダ３、１１のヒストンロッド３ａ、１１ａの収縮等の動きは、前述した説明と、図２−１〜図２−３の動作とは、逆となる。
【００３５】
また、第１軸２０を、収容室２の底面２ａ近傍に、第２軸２２を、収容室２の天板部２ｂ近傍に設け、かつ第１軸２０を支点２０００として、カム板２１と防水扉１が可動した際には、第２軸２２が、前述の如く、防水扉１の基端１ｃの可動軌跡Ｑに沿って、移動する。また、防水扉１の基端１ｃが、自由に動くように、収容室２の起立点２ｃには、基端１ｃの動きを確保できるスペースＨが形成されている。尚、前述したが、この防水扉１の起立と倒伏の際には、ピストンロッド１１ａの伸縮、並びにサポートレバー７の折畳み、及び伸張が同期して行われる。
【００３６】
次に、図４〜図６−３に示した第二実施例を説明する。基本的には、第一実施例と同じである。その相違は、サポートレバー７と、第２シリンダ１１との枢着関係であり、この例では、ピストンロッド１１ａがサポートレバー７の下方レバー７ｂに枢着される。従って、ピストンロッド１１ａが伸張することで、サポートレバー７が伸張し（緊張し）、起立した防水扉１を支持する。逆に、ピストンロッド１１ａが収縮することで、サポートレバー７が折畳まれ（収縮し）、倒伏した防水扉１が、収容室２に収納される。その他の構造、並びに動作は、前述の第一実施例に準ずる。また、この第二実施例は、第一実施例に対して、桁方向Ｘの寸法が短く、小型バージョンである。
【００３７】
尚、図示しないが、又は窒素ガスタンク、或いは水道水、溜水タンク等の簡易手段を採用することもでき、緊急時の対応、低コスト化、或いは資源の有効利用等にも役立ち有効である。
【００３８】
前述した各構造は、本発明の好ましい一例の説明である。従って、本発明は前述した各実施例に限定されるものではなく、発明の趣旨の範囲において構成の一部を変更する構造とか、同じ特徴と効果を達成できる構造、等は、本発明の範曙である。
【符号の説明】
【００３９】
１            防水扉
１ａ          扉本体
１ａ−１      裏面
１ｂ          自由端
１ｃ          基端
２            収容室
２ａ          底面
２ｂ          天板部
２ｃ          起立点
３            第１シリンダ
３ａ          ピストンロッド
３−１        基端
３ａ−１      自由端
５            ガス圧シリンダ
５ａ          ピストンロッド
６            第１ブラケット
７            サポートレバー
７ａ          上方レバー
７ｂ          他方レバー
８            軸
９            第２ブラケット
１０          作動レバー
１１          第１シリンダ
１１ａ        ピストンロッド
１１ａ−１    自由端
１２          配管
１２ａ        弁
１５          空気入れ
１６          切換バルブ
１７          蓄圧タンク
２０          第１軸
２１          カム板
２１ａ        底面側
２１ｂ        一方面側
２１ｃ        天板面側
２１ｄ        他方面側
２１ｅ        角部
２２          第２軸
Ａ            出入口
Ａｌ          床面
Ｂ            扉起伏装置
Ｃ            補助起立装置
Ｄ            ヒンジ装置
Ｒ            時計方向
Ｓ            鉛直線
Ｑ            可動軌跡
Ｘ            桁方向
Ｙ            内方
Ｚ            鉛直方向
【図１】
2014152470.tif 000003
【図２−１】
2014152470.tif 000004
【図２−２】
2014152470.tif 000005
【図２−３】
2014152470.tif 000006
【図３−１】
2014152470.tif 000007
【図３−２】
2014152470.tif 000008
【図３−３】
2014152470.tif 000009
【図４】
2014152470.tif 000010
【図５】
2014152470.tif 000011
【図６−１】
2014152470.tif 000012
【図６−２】
2014152470.tif 000013
【図６−３】
2014152470.tif 000014
【図７】
2014152470.tif 000015